(57)【要約】【課題】  紐状物が不用意に引き出されることが抑制され、巻取機構にかかる負荷も抑止することができるホルダーを提供する。【解決手段】  本発明に係るホルダー１は、紐体２０の一端が接続されて紐体２０を巻き取るリール３０を内部に収容するとともに、内部と外部とを連通して紐体２０が引出し、巻取りの際に通過する開口１８を有し、開口１８に紐体２０が貫通するマグネットが設けられたケース１０と、ケース１０に取り付けられたカラビナ５０と、紐体２０の他端が接続されるとともに、紐体２０が挿通する開口４３を有し、開口４３に紐体２０が貫通するマグネット８０が設けられた着脱部４０と、着脱部４０に取り付けられたリング６０とを備え、マグネット７０とマグネット８０との磁着により、着脱部４０がケース１０に対して着脱可能に取り付けられる。【選択図】  図２
2020028512.tif 000002
【特許請求の範囲】
【請求項１】
紐状物の一端が接続されて前記紐状物を巻き取る巻取機構を内部に収容するとともに、内部と外部とを連通して前記紐状物が引出し、巻取りの際に通過する連通開口を有し、第一の連結具が設けられた本体部と、
前記紐状物の他端が接続されるとともに、前記紐状物が挿通する挿通開口を有し、第二の連結具が設けられた着脱部とを備え、
前記連通開口に前記紐状物が貫通する磁石が設けられ、
前記挿通開口に前記紐状物が貫通する強磁性体が設けられ、
前記磁石と前記強磁性体との磁着により、前記着脱部が前記本体部に対して着脱可能に取り付けられることを特徴とするホルダー。
【請求項２】
前記着脱部が、前記紐状物周りの任意の角度で前記本体部に対して取り付けられることを特徴とする請求項１に記載のホルダー。
【請求項３】
前記磁石の前記強磁性体側の面が、同極に着磁されていることを特徴とする請求項２に記載のホルダー。
【請求項４】
前記連通開口の端面が、前記磁石の前記強磁性体側の面と同一面上に形成され、
前記挿通開口の端面が、前記強磁性体の前記磁石側の面と同一面上に形成されていることを特徴とする請求項１乃至請求項３のいずれか１項に記載のホルダー。
【請求項５】
前記本体部の前記連通開口を形成する部分の外形と、前記着脱部の前記挿通開口を形成する部分の外形とが略同一であることを特徴とする請求項４に記載のホルダー。
【発明の詳細な説明】
【技術分野】
【０００１】
本発明は、スマートフォン等の携帯端末やアウトドア用具等を取り付けて使用者の携帯に供するホルダーに関する。
【背景技術】
【０００２】
スマートフォン等の携帯端末やアウトドア用具等を取り付けて使用者の携帯に供するホルダーとして、例えば特許文献１に記載の携帯ストラップがある。この携帯ストラップでは、巻尺本体の一端に携帯電話に取り付けられる取り付け紐が、巻尺本体の他端に引き出し巻き取り可能な紐状物が設けられ、紐状物の先端に飾りやマスコット、キーホルダー等が設けられることにより、その飾り等を紐状物とともに引き出したり巻き取ったりすることが可能となっている。
【先行技術文献】
【特許文献】
【０００３】
【特許文献１】特開２００５−１９８７４６号公報
【発明の概要】
【発明が解決しようとする課題】
【０００４】
ところで、特許文献１に記載の携帯ストラップでは、紐状物が巻き取られた状態において、巻尺本体と飾り等とが巻尺本体の巻取力により密着するが、巻取力を多少なりとも上回る引出力が飾り等に加わると、飾り等が使用者の意に反して引き出されることになる。また、飾り等に重量があると、巻尺本体の巻取機構に負荷がかかり、場合によっては巻尺本体が紐状物を巻き取り切れず、紐状物及び飾り等が引き出されたままの状態となることも考えられる。
【０００５】
本発明は、上記の事情に鑑みてなされたもので、紐状物が不用意に引き出されることが抑制され、巻取機構にかかる負荷も抑止することができるホルダーを提供することを課題としている。
【課題を解決するための手段】
【０００６】
上記課題を解決するため、本発明に係るホルダーは、紐状物の一端が接続されて前記紐状物を巻き取る巻取機構を内部に収容するとともに、内部と外部とを連通して前記紐状物が引出し、巻取りの際に通過する連通開口を有し、第一の連結具が設けられた本体部と、前記紐状物の他端が接続されるとともに、前記紐状物が挿通する挿通開口を有し、第二の連結具が設けられた着脱部とを備え、前記連通開口に前記紐状物が貫通する磁石が設けられ、前記挿通開口に前記紐状物が貫通する強磁性体が設けられ、前記磁石と前記強磁性体との磁着により、前記着脱部が前記本体部に対して着脱可能に取り付けられることを特徴とする。
【０００７】
このホルダーによれば、本体部の連通開口に設けられた磁石と、着脱部の挿通開口に設けられた強磁性体との磁着により、着脱部が本体部に対して着脱可能に取り付けられるので、紐状物が巻き取られて着脱部が本体部に磁着しているときには、その磁着力により紐状物が不用意に引き出されることが抑制される。また、第二の連結具に連結された物の重量等により着脱部に引張力（紐状物の引出力）が作用したとしても、その磁着力が引張力に抗することになり、本体部に収容されて紐状物の一端が接続された巻取機構にかかる負荷も抑止することができる。
【０００８】
前記着脱部は、前記紐状物周り（前記着脱部が前記本体部に対して取り付けられたときの紐状物の延びる方向の周り）の任意の角度で前記本体部に対して取り付けられてもよく、前記磁石の前記強磁性体側の面が、同極に着磁されていれば、紐状物が磁石及び強磁性体を貫通して紐状物を囲むように磁石及び強磁性体の引力が作用するので、着脱部をそのように任意の角度で本体部に対して取り付けることができる。
【０００９】
また、前記連通開口の端面が、前記磁石の前記強磁性体側の面と同一面上に形成され、前記挿通開口の端面が、前記強磁性体の前記磁石側の面と同一面上に形成されていれば、磁石と強磁性体とが磁着したときに連通開口の端面と挿通開口の端面とが当接して本体部と着脱部との外観上の一体感が醸成され、さらに、前記本体部の前記連通開口を形成する部分の外形と、前記着脱部の前記挿通開口を形成する部分の外形とが略同一であれば、その一体感を一層高めてホルダーのデザイン及び外観品質の向上を図ることができる。
【発明の効果】
【００１０】
本発明に係るホルダーによれば、紐状物が不用意に引き出されることが抑制され、巻取機構にかかる負荷も抑止することができる。
【図面の簡単な説明】
【００１１】
【図１】発明を実施するための形態に係るホルダーを示す説明図である。
【図２】図１のホルダーのケース側のマグネットを示す説明図である。
【図３】図１のホルダーの着脱部側のマグネットを示す説明図である。
【発明を実施するための形態】
【００１２】
本発明を実施するための形態について、図面に基づいて説明する。
【００１３】
図１乃至図３に示すように、本実施の形態に係るホルダー１は、ケース１０と、紐体２０と、リール３０と、着脱部４０と、カラビナ５０と、リング６０とを備える。
【００１４】
ケース１０は、樹脂製の正面ケース１１、背面ケース１２及び側面ケース１３により概略構成されている。正面ケース１１及び背面ケース１２は、携帯性を損ねない程度の寸法（例えば直径４０ｍｍ程度）の円形状の部材で、それぞれ正面側（図１における手前側）及び背面側（図１における奥側）に対向して配置される。側面ケース１３は、正面ケース１１及び背面ケース１２と略同径の円環状の部材で、正面ケース１１及び背面ケース１２の間に配置されてケース１０の厚みを創出し、ケース１０の内部に図示を略す収容部を形成している。
【００１５】
正面ケース１１、背面ケース１２及び側面ケース１３は、互いに重なり合って配置された状態で対応する位置に、厚さ方向を軸方向とする４個のネジ穴を有し（正面ケース１１のネジ穴については、符号１５を付す。）、そのネジ穴を挿通するネジ１７により一体に締結されている。ケース１０の下部には、ケース１０の内部（収容部）と外部とを連通する円筒状の開口１８が設けられ、開口１８の下端面１８ａは平らに形成されている。
【００１６】
紐体２０は、ホルダー１の用途に応じて所要の長さ（例えば１ｍ）を有し、繰り返しの引出し、巻取りにも耐え得るような耐久性を備えている。紐体２０の一端（上端）は、リール３０に接続され、紐体２０の他端（下端）は、着脱部４０に接続されている。
【００１７】
リール３０は、ケース１０の収容部に収容され、紐体２０の巻取り、引出しのための公知の機構を有する。リール３０は、例えば、渦巻ばねの巻戻力を利用して紐体２０をケース１０に対して伸縮させてもよく、紐体２０の伸縮を任意の長さで固定するストッパー機能を有していてもよい。紐体２０は、リール３０により引き出され、又は、巻き取られる際に、その一部が開口１８を通過し、紐体２０のリール３０に巻き取られた部分は、ケース１０の収容部に収容される。
【００１８】
着脱部４０は、ケース１０と別体で形成され、樹脂製の着脱部本体４１及びリング保持部４２により概略構成されている。着脱部本体４１及びリング保持部４２は、ここでは、一体的に形成され、紐体２０の周りに（図１の軸線Ｏ周りの矢印Ａ方向に）相対回転しないようになっている。
【００１９】
着脱部本体４１の上部には、開口１８と外径、内径ともに略同一の円筒状を呈する開口４３が設けられ、開口４３の上端面４３ａは平らに形成されている。紐体２０のリール３０に巻き取られていない部分は、開口１８からケース１０の外部に延びて開口４３を挿通し、その先端（下端）が着脱部本体４１の内部の図示を略す固定部に接続されて固定されている。
【００２０】
リング保持部４２は、着脱部本体４１の下方に設けられ、ケース１０に対する着脱部４０の着脱方向（上下方向）と直交する方向を軸方向とし、かつ、リング６０が挿通される保持孔４４を有する。
【００２１】
カラビナ５０は、ケース１０の上部に設けられ、かばんや衣服のベルト等の被連結物を連結するための開閉部５１を有する。カラビナ５０は、ここでは、その両端５０ａがケース１０と一体化され、ケース１０に対して矢印Ａ方向に相対回転等しないようになっているが、ケース１０と別体で設けられてもよい。
【００２２】
リング６０は、円環状を呈し、スマートフォン等の携帯端末やアウトドア用具等の被連結物を連結するための開閉部６１を有する。リング６０は、隙間をもって保持孔４４に保持され、着脱部４０に対して円周方向（図１の矢印Ｂ方向）に沿って回転可能である。一方、リング６０は、開口４３の中心軸周り（矢印Ａ方向）に関しては、着脱部４０に対して回転しない。
【００２３】
ホルダー１は、さらに、開口１８に設けられたマグネット７０と、開口４３に設けられたマグネット８０とを備える。着脱部４０は、マグネット７０とマグネット８０との磁着により、ケース１０に対して着脱可能に取り付けられる。
【００２４】
詳細には、マグネット７０は、開口１８の内径と略同一の外径を有する円柱状を呈し、開口１８に嵌合されて接着剤等により固着されている。マグネット７０の中心には、マグネット７０を上下に貫通する貫通孔７１が形成され、マグネット７０の下面７２は、その全体がＮ極に着磁されている（マグネット７０は、上下方向に一方向着磁されている。）。紐体２０は、貫通孔７１を通ることによりマグネット７０を貫通し、開口１８の下端面１８ａは、マグネット７０の下面７２と同一面上に（面一に）形成されている。
【００２５】
マグネット８０は、開口４３の内径と略同一の外径を有する円柱状を呈し、開口４３に嵌合されて接着剤等により固着されている。マグネット８０の中心には、マグネット８０を上下に貫通する貫通孔８１が形成され、マグネット８０の上面８２は、その全体がＳ極に着磁されている（マグネット８０は、上下方向に一方向着磁されている。）。紐体２０は、貫通孔８１を通ることによりマグネット８０を貫通し、開口４３の上端面４３ａは、マグネット８０の上面８２と同一面上に（面一に）形成されている。
【００２６】
本実施の形態に係るホルダー１は、例えば、リング６０に連結されたスマートフォン等の携帯端末やアウトドア用具等を、カラナビ５０によりかばんや衣服のベルト等に連結して携帯する場合に使用される。使用者は、携帯端末やアウトドア用具等の使用時には、着脱部４０をケース１０から取り外し、紐体２０をケース１０から引き出して、携帯端末やアウトドア用具等を使用しやすいところに引き寄せればよく、携帯端末やアウトドア用具等の使用後は、リール３０により紐体２０を巻き取って、着脱部４０をケース１０に取り付ければよい。
【００２７】
このホルダー１によれば、ケース１０の開口１８に設けられたマグネット７０と、着脱部４０の開口４３に設けられたマグネット８０との磁着により、着脱部４０がケース１０に対して着脱可能に取り付けられるので、紐体２０が巻き取られて着脱部４０がケース１０に磁着しているときには、その磁着力により紐体２０が不用意に引き出されることが抑制される。また、リング６０に連結された被連結物の重量等により、着脱部４０に引張力（紐体２０の引出力）が作用したとしても、その磁着力が引張力に抗することになり、ケース１０に収容されて紐体２０の一端が接続されたリール３０にかかる負荷も抑止することができる。
【００２８】
本実施の形態では、マグネット７０の下面７２の全体がＮ極に着磁されるとともに、これと磁着するマグネット８０の上面８２の全体がＳ極に着磁され、紐体２０がマグネット７０及びマグネット８０を貫通して紐体２０を囲むようにマグネット７０及びマグネット８０の引力が作用するので、着脱部４０を紐体２０の周り（軸線Ｏ周り）の任意の角度でケース１０に対して取り付けることができる。したがって、使用者は、着脱部４０が保持するリング６０に連結されたスマートフォン等の携帯端末やアウトドア用具等の被連結物を、ケース１０に対して所望の角度として携帯することが可能となり、携帯端末を紐体２０の巻取状態で画面の見やすい向きに固定したり、あるいは、画面が汚れにくい向きに固定したりすることができる。
【００２９】
また、本実施の形態では、開口１８の下端面１８ａが、マグネット７０の下面７２と同一面上に形成され、開口４３の上端面４３ａが、マグネット８０の上面８２と同一面上に形成されているので、マグネット７０とマグネット８０とが磁着したときに、開口１８の下端面１８ａと開口４３の上端面４３ａとが当接してケース１０と着脱部４０との外観上の一体感が醸成され、さらに、ケース１０の開口１８を形成する部分の外形（開口１８の外周面１８ｂ）と、着脱部４０の開口４３を形成する部分の外形（開口４３の外周面４３ｂ）とが略同一であるので、その一体感を一層高めてホルダーのデザイン及び外観品質の向上が図られている。
【００３０】
以上、本発明の実施の形態について例示したが、本発明の実施形態は上述したものに限られず、発明の趣旨を逸脱しない範囲で適宜変更等してもよい。
【００３１】
例えば、被連結物との連結具には、カラビナやリングではなく、開閉部を有していないいわゆる二重リングや、ナス鐶等の鐶を用いてもよい。
【００３２】
また、ケース側の開口を形成する部分の外形と、着脱部側の開口を形成する部分の外形は、円形に限らず楕円形、正方形、長方形、ひし形、その他の多角形等であってもよい。
【００３３】
さらに、マグネットの着磁態様は任意でよく、着脱部のマグネットの代わりに磁石ではない強磁性体を用いてもかまわない。
【符号の説明】
【００３４】
１      ホルダー
１０    ケース（本体部）
１８    開口（連通開口）
１８ａ  下端面（連通開口の端面）
２０    紐体（紐状物）
３０    リール（巻取機構）
４０    着脱部
４３    開口（挿通開口）
４３ａ  上端面（挿通開口の端面）
５０    カラビナ（第一の連結具）
６０    リング（第二の連結具）
７０    マグネット（磁石）
７２    下面（磁石の強磁性体側の面）
８０    マグネット（強磁性体）
８２    上面（強磁性体の磁石側の面）
【図１】
2020028512.tif 000003
【図２】
2020028512.tif 000004
【図３】
2020028512.tif 000005